(57)【要約】【課題】  無線通信機器等の機器に使用される、無線通信装置毎に個別に保有するパラメータを用いた機器のバックアップ方法に関する。【解決手段】  無線通信機能を実行する中央演算処理装置カード２、無線通信装置個別のパラメータを記憶する操作表示部インタフェースカード４を有し、中央演算処理装置カード２は、記憶部より読み出したプログラムを実行するとともに、操作表示部インタフェースカード４から読み出した個別パラメータに従って、無線通信装置の個別設定を行う。中央演算処理装置カード２には、個別パラメータがバックアップデータとして記憶されており、操作表示部インタフェースカード４から個別パラメータが読み出せない場合に、バックアップデータを読み出し、このバックアップデータに従って個別設定を行う。【選択図】  図１
2011228937.tif 000002
【特許請求の範囲】
【請求項１】
無線通信機能に関するプログラムが記憶された記憶部、この記憶部から読み出されたプログラムを実行することにより無線通信機能を実行する演算部を有する第一のカード、無線通信装置個別のパラメータを記憶する第二のカードを有し、前記第一のカードの前記演算部は、前記記憶部より読み出したプログラムを実行するとともに、前記第二のカードから読み出した前記個別パラメータに従って、前記無線通信装置の個別設定を行う無線通信装置において、
前記第一のカードの前記記憶部には、前記個別パラメータがバックアップデータとして記憶されており、
前記第一のカードの前記演算部は、前記第二のカードより前記個別パラメータが読み出せない場合に、前記記憶部からバックアップデータを読み出し、このバックアップデータに従って、前記無線通信装置の個別設定を行うことを特徴とする無線通信装置。
【請求項２】
第一のカードは、第二のカードより個別パラメータが読み出せない場合に、記憶部に記憶されているバックアップデータを前記第二のカードに書き込む処理を実行する請求項１に記載の無線通信装置。
【発明の詳細な説明】
【技術分野】
【０００１】
この発明は、無線通信機能、及び個別端末の機能設定を行うためのプログラム、データが格納されたカードを実装した無線通信装置に関するものである。
【背景技術】
【０００２】
近年の無線通信装置においては、例えば、変復調などの機能を特定の方式に特化したハードウェアで実現するのではなく、特定の方式の変復調あるいはその他の信号処理を行うプログラムを変更することで実現している（ソフトウェア無線機）。無線通信装置毎に個別で保持するパラメータも記憶装置に保存している。記憶装置の集積度の進化は進んでいるが、故障することは避けられず、故障した場合のバックアップ手段も広く適用されている。従来の技術では記憶装置を内蔵したカードが故障した場合の復旧手段として、カードの冗長化（２枚以上使用）を実施すれば回避することが可能だが、カードの枚数が多くなり、無線通信装置の規模（コスト・大きさ）が膨らむ方向であった。
【０００３】
特許文献１には、携帯電話機のメモリの不具合をユーザ自身が任意にメモリチェックを行って、メモリの正常性を確認する技術が開示されている。具体的には、着信やユーザによるキー操作による割り込みによってメモリチェックが中断されるケースを想定し、メモリチェック中に割り込みが発生した場合でもチェック動作を中断し、中断箇所からメモリチェックを再開できるようにメモリチェックフラグを備えたメモリチェック装置が開示されている。
【先行技術文献】
【特許文献】
【０００４】
【特許文献１】特開２００７−１４８６８４号公報
【発明の概要】
【発明が解決しようとする課題】
【０００５】
ところで、無線通信装置毎に個別に持つ必要のあるソフトウェアのパラメータを保持しているカードが故障したとき、故障したカードは交換されるが、この交換作業において、新しいカードを無線通信装置に実装するとともに、無線機毎の個別パラメータをＰＣ等を使って書き込む作業も発生する。上記特許文献１には、メモリチェック機能を用いてメモリ障害を回避する構成が開示されているが、メモリに記憶されるデータのバックアップ機能については開示がない。本発明は無線通信装置の規模（カード枚数、大きさ）を膨らませることなく、パラメータをバックアップすることにより、故障発生時の運用への影響を最小限に抑えることができる無線通信装置を提供することを目的とする。
【課題を解決するための手段】
【０００６】
本発明に係る無線通信装置は、無線通信機能に関するプログラムが記憶された記憶部、この記憶部から読み出されたプログラムを実行することにより無線通信機能を実行する演算部を有する第一のカード、無線通信装置個別のパラメータを記憶する第二のカードを有し、第一のカードの前記演算部は、記憶部より読み出したプログラムを実行するとともに、第二のカードから読み出した個別パラメータに従って、無線通信装置の個別設定を行う無線通信装置において、第一のカードの記憶部には、個別パラメータがバックアップデータとして記憶されており、第一のカードの演算部は、第二のカードより個別パラメータが読み出せない場合に、記憶部からバックアップデータを読み出し、このバックアップデータに従って、無線通信装置の個別設定を行うものである。
【発明の効果】
【０００７】
本発明に係る無線通信装置は、無線通信機能に関するプログラムが記憶された記憶部、この記憶部から読み出されたプログラムを実行することにより無線通信機能を実行する演算部を有する第一のカード、無線通信装置個別のパラメータを記憶する第二のカードを有し、第一のカードの演算部は、記憶部より読み出したプログラムを実行するとともに、第二のカードから読み出した個別パラメータに従って、無線通信装置の個別設定を行う無線通信装置において、第一のカードの記憶部には、個別パラメータがバックアップデータとして記憶されており、第一のカードの演算部は、第二のカードより個別パラメータが読み出せない場合に、記憶部からバックアップデータを読み出し、このバックアップデータに従って、無線通信装置の個別設定を行うので、個別のパラメータを記憶した操作表示部インターフェースカードが故障したとしても、中央演算処理装置（ＣＰＵ）カードにバックアップされた個別パラメータにより無線通信装置の核となる機能である音声通信機能、データ通信機能を動作させることができる。
【図面の簡単な説明】
【０００８】
【図１】本発明の無線通信装置の構成を示すブロック図である。
【図２】図１の無線通信装置に装着して使用する中央演算処理装置（ＣＰＵ）カード２の構成を示すブロック図である。
【図３】操作表示部インターフェースカードが故障した際に、中央演算処理装置（ＣＰＵ）カードに記憶された個別パラメータを読み出す処理を説明するフローチャートである。
【発明を実施するための形態】
【０００９】
実施の形態１．
次に、本発明を実施する場合の形態について図面を参照して説明する。図１は、本発明に係る無線通信装置の構成を示すブロック図である。図１において、無線通信装置１、中央演算処理装置（ＣＰＵ）カード２（第一のカード）、内蔵記憶装置３、操作表示部インターフェースカード４（第二のカード）、操作表示部５、外部記憶装置６を有する。なお、図１に図示されないが、無線通信装置１は、無線通信を行うための送受信部、送受信する信号のＡ／Ｄ変換、誤り訂正、変復調等の信号処理を行う信号処理部、送受信した信号を出力するための音声や映像を出力する各種ユーザインタフェースをさらに備えるものとする。
【００１０】
中央演算処理装置（ＣＰＵ）カード２は、内蔵記憶装置３に記憶されたプログラムデータに従って、無線通信装置の機能を実現する動作を行う。操作表示部インターフェースカード４は、中央演算処理装置（ＣＰＵ）カード２と操作表示部５間のインタフェースを行うカードである。この操作表示部インターフェースカード４は、無線機毎に個別に必要なパラメータを保存している。操作表示部５は無線通信装置の状態表示、コマンドによるパラメータ入力等マンマシンインターフェースを実現する動作を行う。外部記憶装置６はプログラムのダウンロード、無線通信装置の障害発生時等にログを取得する動作を行う。
【００１１】
無線通信装置の電源を投入すると、外部記憶装置６にプログラム及び個別パラメータが記憶されている場合には、中央演算処理装置（ＣＰＵ）カード２が外部記憶装置６からプログラム及び個別パラメータを読み出し、中央演算処理装置（ＣＰＵ）カード２の内蔵記憶装置３に記憶し、内蔵記憶装置３に記憶されたプログラムデータに従って無線通信装置の立ち上げ動作を行う。また、立ち上げ動作中に個別パラメータを操作表示部インターフェースカード４の内蔵記憶装置に記憶し、記憶された個別パラメータに従って無線通信装置の個別設定を行う。個別パラメータは中央演算処理装置（ＣＰＵ）カード２の内蔵記憶装置３と操作表示部インターフェースカード４の内蔵記憶装置両方に記憶される。
【００１２】
通常の無線通信装置を立ち上げる時、外部記憶装置６は実装されないか、プログラム及び個別パラメータを記憶していない状態で実装される。この場合、中央演算処理装置（ＣＰＵ）カード２は、内蔵記憶装置３に記憶されたプログラムデータに従って、無線通信装置の立ち上げ動作を行う。また、立ち上げ動作中に個別パラメータを操作表示部インターフェースカード４の内蔵記憶装置から読み出し、読み出された個別パラメータに従って無線通信装置の個別設定を行う。
【００１３】
図２は、中央演算処理装置（ＣＰＵ）カード２のブロック図である。中央演算処理装置（ＣＰＵ）カード２は、フラッシュメモリ１１（記憶部）、中央演算処理装置（ＣＰＵ）１２（演算部）、カード間インタフェース部１３、外部記憶装置インタフェース部１４を有する。フラッシュメモリ１１は、図１に示す内蔵記憶装置３に相当するものであって、不揮発性メモリの１種であり、電源が供給されなくとも書き込まれたデータを保持することができる。フラッシュメモリ１１には、無線通信装置の機能を実現するプログラムデータと、無線通信装置毎の個別パラメータと、無線通信装置２の他の記憶手段に対するデータの読み出し、書き込み、消去を実行するプログラム（便宜上「データ処理プログラム」と称する）が記憶されている。このデータ処理プログラムは、外部記憶装置６と操作表示部インターフェースカード４からデータを読み出して、中央演算処理装置（ＣＰＵ）カード２のフラッシュメモリ１１に書き込む処理、操作表示部インターフェースカード４にデータを書き込む処理、データの消去をする処理等を実行するプログラムである。中央演算処理装置（ＣＰＵ）１２は、カード間インタフェース部１３及び外部記憶装置インタフェース部１４を介してデータの読み出し、書き込み、消去等の処理を制御する。
【００１４】
次に、無線通信装置ごとの個別パラメータを記憶している操作表示部インターフェースカード４が故障した際の動作について説明する。無線通信装置を立ち上げるとき、無線通信装置毎の個別パラメータを操作表示部インターフェースカード４の内蔵記憶装置から読み出し、読み出された個別パラメータに従って無線通信装置の個別設定を行う。しかし、操作表示部インターフェースカード４が故障すると、無線通信装置毎の個別パラメータの読み出しと、無線通信装置への設定が出来なくなってしまう。図３は、操作表示部インターフェースカードが故障した際に、中央演算処理装置（ＣＰＵ）カードに記憶された個別パラメータを読み出す処理を説明するフローチャートである。
【００１５】
図３は、操作表示部インターフェースカードが故障した際に、中央演算処理装置（ＣＰＵ）カードに記憶された個別パラメータを読み出す処理を説明するフローチャートである。操作表示部インターフェースカード４の故障が判明するのは、無線通信装置の電源が投入された後の立ち上がり動作時に判明する場合と、機器を使用中に判明する場合がある。いずれの場合でも、無線通信装置の機能を停止させないことが必要である。図３において、中央演算処理装置（ＣＰＵ）１２は、無線通信装置の電源が投入された後の立ち上がり動作時において、外部記憶装置６の実装有無を確認する（ステップS101）。外部記憶装置６が実装されている場合（ステップS101でYES）、その外部記憶装置６にプログラム及びパラメータが記憶されているか確認する（ステップS102）。外部記憶装置６にプログラム及びパラメータが記憶されていれば（ステップS102でYES）、外部記憶装置６よりプログラム及びパラメータを読み出し、中央演算処理装置（ＣＰＵ）カード２の内蔵記憶装置３に記憶した後（ステップS103）、内蔵記憶装置３に記憶されたプログラムデータに従って無線通信装置の立ち上げ動作を行う（ステップS107）。
【００１６】
外部記憶装置６が実装されていない場合（ステップS101でNO）、あるいは、外部記憶装置６は実装されているが、外部記憶装置６に有効なプログラム、パラメータが記憶されていない場合（ステップS102でNO）、中央演算処理装置（ＣＰＵ）１２は、中央演算処理装置（ＣＰＵ）カード２に記憶されたプログラムに従って、無線通信装置の立ち上げ動作を行う（ステップS104）。立ち上げ動作に伴い、中央演算処理装置（ＣＰＵ）１２は操作表示部インターフェースカード４の内蔵記憶装置に記憶された個別パラメータを読み出し、読み出した個別パラメータに従って機器の個別設定を行う。この個別パラメータ読み出し処理を行うため、操作表示部インターフェースカード４の内蔵記憶装置から個別パラメータを読み出し可能か判定する（ステップS105）。読み出せない場合には（ステップS105でNO）、中央演算処理装置（ＣＰＵ）１２は、自身に内蔵された内蔵記憶装置３にバックアップとして記憶されている個別パラメータを読み出し（ステップS106）、読み出したバックアップ用の個別パラメータに従って機器の個別設定を行い、無線通信装置の立ち上げ動作を継続する（ステップS107）。なお、操作表示部インターフェースカード４の内蔵記憶装置から個別パラメータを読み出すことは出来たが、パラメータチェックの結果、正常ではないと判断された場合も、ステップS106とS107が実行される。
【００１７】
上記説明の通り、本発明によれば、中央演算処理装置（ＣＰＵ）カードを装着し、無線通信装置個別のパラメータを、中央処理装置カードとは異なるカードから読み込み起動するものにおいて、操作表示部インターフェースカードに記憶された無線通信装置個別のパラメータを中央演算処理装置（ＣＰＵ）カードに実装したメモリ領域にバックアップすることとした。したがって、個別のパラメータを記憶した操作表示部インターフェースカードが故障したとしても、中央演算処理装置（ＣＰＵ）カードにバックアップされた個別パラメータにより無線通信装置の核となる機能である音声通信機能、データ通信機能を動作させることができる。
【００１８】
また、中央演算処理装置（ＣＰＵ）カードあるいは操作表示部インターフェースカードが故障した際に、無線通信装置個別のパラメータを新たに書き込む必要がなくなるため、故障発生時の運用への影響を最小限に抑えることができると共に、迅速に交換できる手段を有することにより、復旧に費やす費用の削減、信頼性向上という効果を得ることが出来る。
【００１９】
実施の形態２．
実施の形態１の構成では、個別パラメータの読み出しが失敗した後、操作表示部インターフェースカード４の故障は復旧できないが、操作表示部インターフェースカード４の内蔵記憶装置に中央演算処理装置（ＣＰＵ）カード２の内蔵記憶装置３から読み出した個別パラメータを書き込む動作を行うことにより、操作表示部インターフェースカード４の内蔵記憶装置に書込みができ、正常に読出しが出来れば異常状態を復旧させることが出来る。書込みができない、あるいは書き込みは出来るが正常に読み出せない場合は、操作表示部インターフェースカード４が故障として障害を通知し、早急な交換を促す動作を行う。
【００２０】
実施の形態３．
実施の形態１の構成では、個別パラメータの書き換えは外部記憶装置６によるが、操作表示部５から手動で個別パラメータを入力することも出来る。現場で作業員による書き換えが容易となり、補助的手段を有することとなる。
【符号の説明】
【００２１】
１  無線通信装置、２  中央演算処理装置（ＣＰＵ）カード、３  内蔵記憶装置、
４  操作表示部インターフェースカード、５  操作表示部、６  外部記憶装置、
１１  フラッシュメモリ、１２  中央演算処理装置（ＣＰＵ）、
１３  カード間インタフェース部、１４  外部記憶装置インタフェース部
【図１】
2011228937.tif 000003
【図２】
2011228937.tif 000004
【図３】
2011228937.tif 000005